(57)【要約】【課題】電子情報の表示方法の提供。【解決手段】電子情報の表示方法は、第１サーバーに少なくとも一つの嗜好モデル、少なくとも一つのホームページ情報、地域情報或いは時間情報によって、或いはランダムに、少なくとも一つの電子情報を第１装置に伝送し該電子情報と該第１装置が読み取るホームページとを同時に該第１装置に表示する。該第１サーバーが該電子情報を伝送するとき、該ホームページの管理者による授権を受ける必要がなく、且つ該電子情報を覆う表示方式で該ホームページと同時に該第１装置に表示し、該ホームページのレイアウトの制限を受けず、これにより電子情報の表示が比較的簡便で且つ表示レイアウトに自由度を有する電子情報の表示方法である。【選択図】図１Ｂ
2014139765.tif 000002
【特許請求の範囲】
【請求項１】
電子情報の表示方法において、第１サーバーが嗜好モデルにより少なくとも一つの電子情報を選択し、該電子情報を第１装置に伝送するステップと、
該電子情報と該第１装置が読み取ったホームページを該第１装置に同時に表示するステップとを包含することを特徴とする電子情報の表示方法。
【請求項２】
請求項１記載の電子情報の表示方法において、該嗜好モデルを構築するステップは、第１サーバーが該第１装置において取り込んだ少なくとも一つの行為情報と少なくとも一つの識別情報を取得するステップと、
該第１サーバーが該行為情報により嗜好モデルを構築し、且つ該嗜好モデルを該識別情報に関連づけるステップとを包含することを特徴とする電子情報の表示方法。
【請求項３】
請求項２記載の電子情報の表示方法において、該識別情報はアカウント情報、ソフトウエアシリアルナンバー情報、ハードウエアコード情報、或いはネットワークアドレス情報を包含することを特徴とする電子情報の表示方法。
【請求項４】
請求項２記載の電子情報の表示方法において、該第１サーバーが該嗜好モデルにより該電子情報を選択するステップは、さらに該第１装置が該識別情報を該第１サーバーに伝送するステップと、該第１サーバーが該識別情報に関連する該嗜好モデルにより該電子情報を選択するステップを包含することを特徴とする電子情報の表示方法。
【請求項５】
請求項２記載の電子情報の表示方法において、該嗜好モデルの構築の方式は、第１装置が少なくとも一つの行為情報を取り込み、該行為情報により嗜好モデルを構築するステップを包含することを特徴とする電子情報の表示方法。
【請求項６】
請求項５記載の電子情報の表示方法において、該第１サーバーが該嗜好モデルにより該電子情報を選択するステップはさらに、該第１装置が該嗜好モデルを該第１サーバーに伝送するステップと、該第１サーバーが該嗜好モデルにより該電子情報を選択するステップを包含することを特徴とする電子情報の表示方法。
【請求項７】
電子情報の表示方法において、第１サーバーがホームページが包含する少なくとも一つのホームページ情報により少なくとも一つの電子情報を選択し第１装置に伝送するステップと、該電子情報と該ホームページを該第１装置に同時に表示するステップとを包含することを特徴とする電子情報の表示方法。
【請求項８】
請求項７記載の電子情報の表示方法において、該ホームページ情報は該ホームページのネットワークアドレス、該ホームページの少なくとも一つの文字段落、該ホームページの少なくとも一つのイメージ、該ホームページの少なくとも一つのビデオ、該ホームページの少なくとも一つの内部埋め込み外部情報或いは該ホームページの少なくとも一つの外部リンクアドレスを包含することを特徴とする電子情報の表示方法。
【請求項９】
電子情報の表示方法において、第１サーバーが第１装置のＩＰアドレスにより該第１装置の地域情報或いは時間情報を取得し、該地域情報或いは該時間情報により少なくとも一つの電子情報を選択し該第１装置に伝送するステップと、該電子情報と該第１装置が読み取ったホームページを同時に該第１装置に表示するステップとを包含することを特徴とする電子情報の表示方法。
【請求項１０】
電子情報の表示方法において、第１サーバーが少なくとも一つの電子情報中よりランダムに少なくとも一つの電子情報を選択し該第１装置に伝送するステップと、該電子情報と該第１装置が読み取ったホームページを同時に該第１装置に表示するステップとを包含することを特徴とする電子情報の表示方法。
【請求項１１】
請求項１、７、９、１０のいずれか記載の電子情報の表示方法において、該第１サーバーが該電子情報を該第１装置に伝送するステップの後、該電子情報と該ホームページを同時に該第１装置に表示するステップの前に、さらに該第１装置がホームページを読み取り、該ホームページを該第１装置に表示するステップと、該第１装置が操作情報を発生し、該操作情報が該電子情報の表示をトリガするステップとを包含することを特徴とする電子情報の表示方法。
【請求項１２】
請求項１１記載の電子情報の表示方法において、該操作情報は、検索情報、クリック情報、カーソルポインター情報或いはスクロール情報を包含することを特徴とする電子情報の表示方法。
【請求項１３】
請求項１、７、９、１０のいずれか記載の電子情報の表示方法において、該電子情報は完全に或いは部分的に該ホームページを覆う表示であることを特徴とする電子情報の表示方法。
【請求項１４】
請求項７記載の電子情報の表示方法において、該電子情報は該ホームページ情報を覆う表示であることを特徴とする電子情報の表示方法。
【請求項１５】
請求項１、７、９、１０のいずれか記載の電子情報の表示方法において、該電子情報は半透明表示とすることを特徴とする電子情報の表示方法。
【請求項１６】
請求項１記載の電子情報の表示方法において、該第１装置は、該第１装置、第２装置、該第１サーバー或いは第２サーバーより該ホームページを読み取ることを特徴とする電子情報の表示方法。
【請求項１７】
請求項１６記載の電子情報の表示方法において、該第１装置はそれぞれ該第１サーバーと該第２サーバーに接続するか、該第２サーバーに接続された後、該第２サーバーを介して該第１サーバーに接続されることを特徴とする電子情報の表示方法。
【発明の詳細な説明】
【技術分野】
【０００１】
本発明は電子情報（広告・宣伝を含む）の表示方法に係り、サーバーに別途伝送する電子情報とユーザーが閲覧するホームページを同時に表示する方法に関する。
【背景技術】
【０００２】
コンピュータとインターネットの発展に伴い、現代人がインターネットを使用する時間はますます長くなり、インターネットはその他の情報メディアに代わり人々が最も依存する情報ソースにと成長した。
インターネットを通して情報を発信することで得られる宣伝効果は絶大で、多くの企業が雑誌等の平面媒体、建築物や交通機関等の屋内外媒体で発布される広告情報に加え、インターネットを広告発布のプラットフォームとしている。
また近年インターネットショッピングの隆盛により、消費者はインターネット上で商品及びサービスを選択し購入するのに違和感を持たなくなっている。
インターネット上で発布されるデジタル広告は、商品の露出率を増加するのみならず、クリックすれば販売ホームページにリンクするため、消費行為が比較的容易にしかも短時間で行うことが出来る。
このため、各ホームページ上で宣伝を行う需要は毎年増加しても減少することはないと言える。
【０００３】
しかし、ホームページ上での宣伝には、考慮しなければならない二つの主要な問題がある。一つは広告の表示位置と形式、もう一つは広告費徴収のメカニズムである。
この内、表示位置と形式については、通常ホームページ上の予めレイアウトされた固定位置に表示し、画面の比較的上端部の縦フィールド或いは横フィールドに表示する。
ホームページ上のその他の位置に表示される広告の露出度は、画面の下ほど低くなる。
この他に画面レイアウト制限を利用した動的広告は、ホームページのロード完成後に自動再生され、ブラウザウインドウ内の範囲で表示を実行する。
ただ再生開始はホームページのロード完成のタイミングのため、消費者がもし同時にその他のソフトウエア或いはインターネットサービスを使用した場合は、このような動的広告は注目されにくい。
広告費徴収メカニズムに関しては、インターネットの初期段階では広告を掲載したホームページの閲覧回数で費用を徴収するものであった。
しかし閲覧回数は消費者が従動的に広告を受け取る状況を反映するだけで、消費者の広告に対する興味を反映できない。
これにより広告が閲覧される回数は、往々にして広告の効果に結びつけにくい。
現在ではインターネット広告サービスを提供する会社のほとんどが広告のクリック回数を費用徴収基準の根拠としている。
しかし、インターネット情報と広告が溢れ、インターネットユーザーの閲覧或いは広告をクリックする意欲は低下しているのが現状である。
このように広告効果および消費者動向統計の効果は弱まっているにもかかわらず、注目されるホームページへの広告は膨大なコストがかかる。
さらにはホームページ管理者側が規定する画面レイアウト、再生方式、タイミング等数々の制限を受ける。
【０００４】
消費者が多数の広告に対して興味をもたなくても、自身が比較的興味を有するか必要とする商品に遭遇すると、消費者の広告の閲覧或いはクリックの意欲は高まる。
これにより、消費者の個人情報と行為形式を収集し、消費者の好み或いは需要を分析し商品に対して興味や需要要求を有する消費者に対して広告を打つことで、広告の効果を高めることができる。
しかし、オンライン調査機構Krux Digitalが発表した調査結果によると、８６％のインターネットユーザーが、ブラウザのインターネット閲覧記録の追跡防止（Do not track）機能をオンしており、
インターネットを通して個人情報を収集しカスタマイズした広告を打つことを困難にしている。
このことから、いかにして消費者に、企業がインターネット上の消費者の活動記録を収集するのは、消費者が必要とする各種サービスを提供するためであることに理解してもらえるのかが重要な課題となっている。
【発明の概要】
【発明が解決しようとする課題】
【０００５】
本発明の主要な目的は、電子情報（広告・宣伝を含む）の表示方法を提供することにある。
ユーザーが任意のホームページを閲覧するときに、別途ユーザーの嗜好によりふるい分けた電子情報を伝送し、電子情報とホームページを同時に表示する。
ユーザーに対してその嗜好に符合する電子情報を表示し、さらに電子情報の表示がホームページのレイアウトとホームページ管理者による制限を受けないようにする。
【０００６】
本発明の次の目的は、電子情報の表示方法を提供することにある。
ユーザーが任意のホームページを閲覧するときに、別途ホームページ情報によりふるい分けた電子情報を伝送し、電子情報とホームページを同時に表示する。
使用者に対してその閲覧中のホームページに関連する電子情報を表示し、電子情報の表示がホームページのレイアウトとホームページ管理者の制限を受けないようにする。
【０００７】
本発明のもう一つの目的は、電子情報の表示方法を提供することにある。
ユーザーが任意のホームページを閲覧する時に、ユーザーの所在地点或いは時間により別途電子情報を伝送し、電子情報とホームページを同時に表示する。
所在地点或いは時間に対して電子情報を表示し、電子情報の表示がホームページのレイアウトとホームページ管理者の制限を受けないようにする。
【０００８】
本発明のまた一つの目的は、電子情報の表示方法を提供することにある。
ユーザーが任意のホームページを閲覧する時に別途電子情報を伝送し、電子情報とホームページを同時に表示する。
ユーザーの嗜好或いはホームページ情報関係の電子情報が不足している時でも、ユーザーに対して電子情報を表示できる。
さらに電子情報の表示がホームページのレイアウトとホームページ管理者の制限を受けないようにする。
【課題を解決するための手段】
【０００９】
上述の主要な目的と作用効果を達成するため、本発明は電子情報の表示方法を提供する。
そのステップは、第１サーバーがユーザーの嗜好モデルにより少なくとも一つの電子情報をふるい分けし第１装置に伝送する。
その後、該電子情報と該第１装置が読み取ったホームページを同時に該第１装置に表示することを包含する。
そのうち、該嗜好モデルは該第１装置の少なくとも一つの行為情報を分析することで該第１装置にて構築し該第１サーバーに伝送する。
或いは該第１サーバーにて構築し、該第１装置の少なくとも一つの識別情報に関連づける。
【００１０】
上述目的と作用効果を達成するため、本発明は電子情報の表示方法を提供する。
そのステップは、第１サーバーがホームページの包含する少なくとも一つのホームページ情報により少なくとも一つの電子情報をふるい分けし第１装置に伝送する。
さらに該電子情報と該ホームページを同時に該第１装置に表示することを包含する。
ここで該ホームページ情報は該ホームページのアドレス、少なくとも一つのテキスト段落、少なくとも一つのイメージ、少なくとも一つの動画、少なくとも一つの内部嵌め込み外部情報或いは少なくとも一つの外部リンクアドレスを包含する。
【００１１】
上述のもう一つの目的と作用効果を達成するため、本発明は電子情報の表示方法を提供する。
そのステップは、第１サーバーが第１装置のＩＰアドレスにより該第１装置の地域情報或いは時間情報を取得し、それにより少なくとも一つの電子情報をふるい分けする。
さらに該電子情報を該第１装置に伝送し、該電子情報と該第１装置が読み取ったホームページを該第１装置に同時に表示することを包含する。
上述のもう一つの目的と作用効果を達成するため、本発明は電子情報の表示方法を提供する。
そのステップは、第１サーバーが少なくとも一つの電子情報中よりランダムに少なくとも一つの電子情報を選択して該第１装置に伝送する。
その上で該電子情報を該第１装置が読み取ったホームページと同時に該第１装置に表示することを包含する。
【発明の効果】
【００１２】
現在のホームページと結合された電子情報が、表示方法と費用徴集メカニズムのいずれにおいても理想的でない部分を有することを鑑み、本発明の発明者は、電子情報の表示方法を研究開発した。
本発明は一般ユーザーが電子情報或いはその他の非広告の電子情報を表示するのに適用する。
本発明中、サーバーは別途電子情報をユーザー装置に伝送し、電子情報とホームページを同時にユーザー装置に表示する。
表示時には、電子情報の表示面積或いは表示位置はホームページレイアウトの制限を受けず、弾力性に富んだ表示効果を獲得できる。
且つ電子情報の表示にはホームページ管理者の協力を仰ぐ必要がないため各種制限を受けず、別途表示費用をホームページ管理者に支払う必要がなく、電子情報の掲載コストを低減することができる。
【００１３】
本発明中、サーバーが電子情報を選択する方法は以下の４種類に分けられる。
１．ユーザーの嗜好によりふるい分けして、カスタマイズした電子情報を伝送する。
２．ユーザーが閲覧するホームページの内容によりふるい分けし、主題と関係する電子情報を伝送する。
３．ユーザーの所在地及び時間により電子情報をふるい分けし、地域性或いは時間によりユーザー端に伝送する。
４．予め設けられた電子情報中よりランダムに選択する。
第一の方式は、ユーザーがオンライン時に発生する行為情報を予め収集分析し、嗜好モデルを構築する。さらに嗜好モデルによりユーザーの嗜好に符合する電子情報を選出する。
第二の方式は、ユーザーが閲覧するホームページのホームページ情報を取得し、さらにホームページ情報との関連（たとえばキーワード検索或いは画像検索）により、ホームページ内容と関係する電子情報を選択する。
第三の方式は、ユーザーのＩＰアドレスからユーザーの所在地或いは時間を分析する。
第四の方式は、ユーザーの情報を収集せず、予め設けられた電子情報の中よりランダムに選択する。
【００１４】
第一の方式以外の方式は、いずれもユーザーに対して過多の個人情報を要求することはない。
且つ本発明はその他の機能と同時に起動することが出来る。すなわち一つのプログラムが同時に、本発明を応用してユーザー行為の嗜好を収集することができる。
さらにユーザーの嗜好により電子情報を表示し、同時にホームページ外に独立したイメージ及びテキストのリアルタイム投稿機能を提供してユーザーが討論できる機能を提供する。
ユーザーはイメージ及びテキストのリアルタイム投稿機能を使用してその他のユーザーと討論することができるため、その行為情報の収集に同意する傾向が高められ得る。
【００１５】
電子情報のオリジナル提供者に対し、本発明はその電子情報発布の時間、地域、ホームページタイプ（単一ホームページを指定できる）、ユーザータイプ（行為情報、嗜好モデル及びその他の個人情報による）及び電子情報の表示方式等を設定できる機能を提供し、電子情報のオリジナル提供者の要求に基づいて電子情報の表示方法をカスタマイズできるようにする。
【図面の簡単な説明】
【００１６】
【図１Ａ】本発明の第１実施例の要素関係図である。
【図１Ｂ】本発明の第１実施例のステップフローチャートである。
【図２Ａ】本発明の第２実施例の要素関係図である。
【図２Ｂ】本発明の第２実施例のステップフローチャートである。
【図３Ａ】本発明の第３実施例の要素関係図である。
【図３Ｂ】本発明の第３実施例のステップフローチャートである。
【図４Ａ】本発明の第４実施例の要素関係図である。
【図４Ｂ】本発明の第４実施例のステップフローチャートである。
【発明を実施するための形態】
【００１７】
本発明の技術内容、構造特徴、達成する目的を詳細に説明するため、以下に実施例を挙げ並びに図面を組み合わせて説明する。
【００１８】
本発明は電子情報の表示方法であり、その特色はユーザーがホームページを閲覧する時に、別途電子情報を伝送し、その電子情報とホームページを同時に表示することにある。
これにより電子情報の表示が、ホームページレイアウトとホームページ管理者の制限を受けないようにし、その表示の利便性と変更性を増加することにある。
そのうち、本発明はユーザーの行為情報により構築した嗜好モデルにより電子情報をふるい分け、ユーザーが閲覧するホームページのホームページ情報からも電子情報をふるい分ける。
さらにユーザーの所在情報と時間情報により電子情報を伝送するか、ランダムに電子情報を伝送することで、電子情報をユーザーの嗜好或いは当面注目するホームページテーマに符合させる。
これによりユーザーが電子情報の閲覧及び電子情報リンクをクリックする意思を増加し、十分に電子情報表示の効果を強化、或いは電子情報を同一地域或いは同一時刻に位置する複数のユーザーに伝送する機能を提供する。
電子情報をいずれかの基準によりふるい分けするかは、そのオリジナル提供者、すなわち第３者により設定でき、これによりカスタマイズした電子情報の表示方法を提供し、さらにオリジナル提供者の要求に符合させる。
【００１９】
まず、図１Ａと図１Ｂを併せて参照されたい。これは本発明の第１実施例の要素関係表示図とステップフローチャートである。
図１Ａに示すように、本発明の電子情報の表示方法は、少なくとも一つの第１装置１と第１サーバー３を包含し、該第１サーバー３は少なくとも一つの電子情報３０Ａ〜３０Ｃを包含する。
該第１装置１は該第１サーバー３に接続可能で、該第１サーバー３は、嗜好モデル１６によりそのうち一つの電子情報３０Ａを該第１装置１に伝送し、表示する目的を達成する。
【００２０】
そのうち、該嗜好モデル１６は、複数の行為情報１４Ａ〜１４Ｆを分析することで構築される。
行為情報１４Ａ〜１４Ｆは、該第１装置１中より取り込まれ、該第１サーバー３により取得され分析されることで該嗜好モデル１６が構築される。
且つ該嗜好モデル１６が該第１装置１の少なくとも一つの識別情報１２に関連づけられるか、或いは該第１装置１により行為情報１４Ａ〜１４Ｆが分析されて該嗜好モデル１６が構築される。
該嗜好モデル１６は該第１サーバー３或いは該第１装置１に存在し得る。
【００２１】
本発明はさらに、第２装置２或いは第２サーバー４を包含してもよく、該第２装置２或いは該第２サーバー４はホームページ４０を包含し、該第１装置１は該第２装置２或いは該第２サーバー４に接続可能で、
これにより該第２装置２或いは該第２サーバー４より該ホームページ４０を読み取る。
また、もし該第１装置１或いは該第１サーバー３が該ホームページ４０を包含するなら、該第１装置１はまた該第１装置１或いは該第１サーバー３より該ホームページ４０を読み取ることができる。
該第１装置１のユーザーは、ローカル、広域ネットワーク或いはワールドワイドネットワーク上において、任意のホームページを閲覧できる。
また、図１Ａ中に示すように、該第１装置１はそれぞれ該第１サーバー３と該第２サーバー４にそれぞれ接続される方式以外に、該第１装置１はまた、先に該第１サーバー３に接続される。
さらには該第１サーバー３を経由して該第２サーバー４に接続されてもよい。
本実施例中該第１装置１はさらに、表示プログラム１０を包含し、それは特殊開発のブラウザとするか既存のブラウザ（Internet Explorer(IE)（登録商標）、Firefox（登録商標）、Chrome（登録商標）、Safari（登録商標）、Opera（登録商標）等）に、電子情報の受信と表示の機能を備えたブラウザプラグインを加えたものとする。
またはその他の方式を利用してホームページを閲覧するユーザーに向けてホームページ表示と同時に電子情報を表示できる機能を達成するものとする。
また該表示プログラム１０は該識別情報１２の取り込み、行為情報１４Ａ〜１４Ｆの取り込み或いは該嗜好モデル１６構築機能を包含する。
【００２２】
本実施例の特色は、該第１サーバー３が該嗜好モデル１６により電子情報３０Ａ〜３０Ｃをふるい分けして該第１装置１ユーザーの嗜好に符合する該電子情報３０Ａを選択する。
該電子情報３０Ａは、最も該第１装置１ユーザーを引き付ける電子情報であり、ユーザーの嗜好によりカスタマイズして電子情報を表示する効果を達成する。
これにより該第１装置１ユーザーが電子情報を観てクリックする意思を高め、電子情報表示の効果を強化することである。
【００２３】
図１Ｂに示されるように、本発明の電子情報の表示方法は少なくとも以下のステップを包含する。
【００２４】
ステップＳ１２：第１サーバーが嗜好モデルにより少なくとも一つの電子情報を選択し、該電子情報を第１装置に伝送する。
【００２５】
ステップＳ１３：該電子情報と該第１装置が読み取ったホームページを同時に該第１装置に表示する。
【００２６】
該嗜好モデル１６を構築並びに使用して電子情報３０Ａ〜３０Ｃをふるい分けするために、ステップＳ１２の前に、以下のステップを包含し得る。
【００２７】
ステップＳ１１１１：第１サーバーが第１装置の取り込んだ少なくとも一つの行為情報と少なくとも一つの識別情報を取得する。
【００２８】
ステップＳ１１１２：該第１サーバーが該行為情報により嗜好モデルを構築し、且つ該嗜好モデルを該識別情報に関連づける。
【００２９】
ステップＳ１１１３：該第１装置が該識別情報を該第１サーバーに伝送する。
【００３０】
ステップＳ１１２１：該第１装置が少なくとも一つの行為情報を取り込み嗜好モデルを構築する。
【００３１】
ステップＳ１１２２：該第１装置が該嗜好モデルを該第１サーバーに伝送する。
【００３２】
上述のステップＳ１１１１〜ステップＳ１１１３の実行により、該嗜好モデル１６が該第１サーバー３に構築され、且つ該識別情報１２に関連づけられる。
ステップＳ１１２１〜ステップＳ１１２２の実行により、該嗜好モデル１６は該第１装置１に構築される。
【００３３】
ステップＳ１１１１中、該第１装置１は該第１サーバー３に接続され、該表示プログラム１０は該識別情報１２を取り込み、該第１サーバー３に伝送する。
該識別情報１２は該表示プログラム１０のソフトウエアシリアルナンバー情報、該第１装置１のハードウエアコード情報或いは該第１装置１が接続されるインターネットのネットワークアドレス情報などを包含し得る。
もし、該表示プログラム１０がアカウント情報で該第１サーバー３にログインし接続される場合、該識別情報１２もアカウント情報を包含し得る。
該第１サーバー３は該識別情報１２により該第１装置１のユーザーを識別し、その後、該第１装置１のユーザーがホームページを閲覧するかその他のインターネットサービスを使用すると、該表示プログラム１０は続けて該第１装置１に発生する行為情報１４Ａ〜１４Ｆ、たとえば少なくとも一つの閲覧履歴或いは少なくとも一つのダウンロード記録等を収集し、行為情報１４Ａ〜１４Ｆを該第１サーバー３に伝送する。
ステップＳ１１１２中、該第１サーバー３は行為情報１４Ａ〜１４Ｆを分析し、それに基づき該嗜好モデル１６を構築し、且つ該嗜好モデル１６を該識別情報１２に関連づける。
これによりステップＳ１１１３で、該第１装置１は再度該第１サーバー３に接続され、該表示プログラム１０は該識別情報１２を取り込み該第１サーバー３に伝送する。
該第１サーバー３は該識別情報１２の関連性により、ステップＳ１１１１からステップＳ１１１２中に構築された該嗜好モデル１６を取得する。
続いて後続のステップＳ１２において該嗜好モデル１６により電子情報３０Ａ〜３０Ｃ中より該電子情報３０Ａを選択する。
【００３４】
また、ステップＳ１１２１中、該表示プログラム１０は該第１装置１のユーザーがホームページを閲覧するか或いはその他のインターネットサービスを使用している時に、続けて行為情報１４Ａ〜１４Ｆを収集する。
次に行為情報１４Ａ〜１４Ｆを分析し、該嗜好モデル１６を構築する。
ステップＳ１１２２において、該第１装置１は該第１サーバー３に接続され、該第１サーバー３は該第１装置１が伝送した該嗜好モデル１６を受け取った後、ステップＳ１２において該嗜好モデル１６により電子情報３０Ａ〜３０Ｃをふるい分ける。
【００３５】
ステップＳ１２おいて、該第１サーバー３はステップＳ１１１１からステップＳ１１１３或いはステップＳ１１２１からステップＳ１１２２で構築された該嗜好モデル１６を取得する。
さらに該嗜好モデル１６により電子情報３０Ａ〜３０Ｃをふるい分けして、該第１装置１のユーザーの嗜好と符合する該電子情報３０Ａを選択し、該電子情報３０Ａを該第１装置１に伝送する。
該第１装置１は該表示プログラム１０により該電子情報３０Ａを受け取る。
ステップＳ１３において、該第１装置１は該表示プログラム１０により該第２サーバー４より該ホームページ４０を読み取り、該表示プログラム１０は、該電子情報３０Ａと該ホームページ４０を同時に該第１装置１に表示する。
こうして該第１装置１を使用して該ホームページ４０を閲覧するユーザーに向けてその嗜好に比較的符合する該電子情報３０Ａを表示する目的を達成する。
【００３６】
このほか、ステップＳ１２の後、ステップＳ１３の前に、さらに以下のステップを包含し得る。
【００３７】
ステップＳ１３０１：該第１装置がホームページを読み取り、該ホームページは該第１装置に表示する。
【００３８】
ステップＳ１３０２：該第１装置において操作情報を発生し、該操作情報は該電子情報の表示をトリガする。
【００３９】
ステップＳ１３０１において、該第１装置１は該表示プログラム１０により該第２サーバー４が包含する該ホームページ４０を読み取り、該表示プログラム１０は該ホームページ４０を該第１装置１に表示する。
ステップＳ１３０１において、該第１装置１のユーザーは該ホームページ４０を閲覧し、ある期間に操作情報（図示せず）を発生する。
該操作情報は、ユーザーが検索を実行して発生する検索情報、ユーザーが該ホームページ４０の包含するリンクをクリックすることで発生するクリック情報、ユーザーがカーソルを該ホームページ４０中の特定ホームページ情報（たとえば文字段落、イメージ、ビデオ或いは内部嵌め込み外部情報等）に移動させることで発生するカーソルポイント情報或いはユーザーが該ホームページ４０のページをスクロールするときに発生するスクロール情報等を包含し得る。
該操作情報は該表示プログラム１０の、該電子情報３０Ａ表示動作をトリガし、該電子情報３０Ａを該ホームページ４０と併せて該第１装置１に表示する。
該第１装置１のユーザーが該ホームページ４０を閲覧する時に、併せて該電子情報３０Ａを見られるようにする。
前述したように、該第１装置１のユーザーは任意の装置或いはサーバーに接続でき、ローカル、広域ネットワーク或いはワールドワイドネットワーク上で任意のホームページを閲覧できる。
ホームページのソースは該第１サーバー３が伝送する該電子情報３０Ａに影響を与えることはない。
また該表示プログラム１０に影響を与えず、該電子情報３０Ａと該ホームページ４０を該第１装置１に同時に表示する方式で該第１装置１のユーザーに向けて表示する。
これゆえ本発明の提供する方法により電子情報を表示する時、該第２装置２のユーザー或いは該第２サーバー４の管理者等のホームページ提供者の制限を受けることがなく、またその授権を受ける必要がない。
これにより、それぞれ各ホームページ提供者より電子情報表示権利を受けるための費用を節約できると同時に、各ホームページ提供者と電子情報表示方法について協議する時間を節約する。
単に該第１サーバー３の管理者と電子情報の表示方法を決定すれば、該第１装置１のユーザーが各ホームページを閲覧する時に同時に電子情報を表示できる。
【００４０】
該電子情報３０を該ホームページ４０と同時に該第１装置１に表示する方式は、該電子情報３０を完全にまたは部分的に該ホームページ４０を覆う方式で表示する。
該電子情報３０がブラウザウインドウ全体、ブラウザウインドウ中の固定位置または不固定位置に部分的に該ホームページ４０を覆う方式で該電子情報３０を表示することを包含する。
また、該ホームページ４０は少なくとも一つの文字段落、少なくとも一つのイメージ、少なくとも一つのビデオ或いは少なくとも一つの内部嵌め込み外部情報等の少なくとも一つのホームページ情報を包含し得る。
該電子情報３０は前述のホームページ情報を覆う方式で表示され、該ホームページ情報は多くの場合ユーザーがホームページを閲覧する際に注目する部分となり、容易にユーザーの注意を引くことができる。
また、前述したように該電子情報３０の表示はユーザーがホームページを閲覧する時に発生する該操作情報によりトリガされる。
これによりユーザーがカーソルを該ホームページ４０中の特定ホームページ情報に移動させるか、該ホームページが包含するリンクなどをクリックした際、該ホームページ情報があるレイアウトはユーザーの視覚焦点となる。
さらに該電子情報３０が表示される時、該電子情報３０は半透明表示で覆うため、該ホームページ４０フレームは、該電子情報３０を介して該ホームページ４０の内容を識別できる。
そのため該電子情報３０を表示する時の、ユーザーに対する干渉を低減し、ユーザーの該電子情報３０表示に対する許容度を高めることができる。
【００４１】
上述の要素の設置とステップの実施により、本発明は一般ユーザーに向けてその嗜好に符合するようカスタマイズした電子情報を提供することができる。
さらに本表示方式はホームページレイアウトとホームページ管理人の制限を受けない。
このほか、本発明はまた一般ユーザーに向けてその閲覧するホームページに関連する電子情報を提供できる。これについては第２実施例で述べるとおりである。
【００４２】
図２Ａと図２Ｂを併せて参照されたい。それは本発明の第２実施例の要素関係表示図とステップフローチャートである。
図２Ａに示すように本発明の電子情報の表示方法は、少なくとも一つの第１装置１と第１サーバー３を包含し、該第１サーバー３は少なくとも一つの電子情報３０Ａ〜３０Ｃを包含する。
該第１装置１は該第１サーバー３に接続可能で、該第１サーバー３は一つのホームページ４０が包含する少なくとも一つのホームページ情報４００により、そのうち一つの電子情報３０Ｂを該第１装置１に伝送する。
これにより該第１装置１のユーザーに向けて現在閲覧している該ホームページ４０に関連する該電子情報３０Ｂを表示する目的を達成する。
この内、該ホームページ情報４００は該ホームページ４０のアドレス、少なくとも一つの文字段落、少なくとも一つのイメージ、少なくとも一つのビデオ或いは少なくとも一つの内部嵌め込み外部情報等とされ得る。
さらに該アドレスにより該ホームページ４０を探すことでラベル付けされるか、少なくとも一つのホームページタイプに定義される。
または該文字段落、該イメージ、該ビデオや該内部嵌め込み外部情報等により該第１装置１或いは該第１サーバー３により該ホームページ４０のホームページタイプが判断される。
該ホームページ情報４００は、該第１装置１が該ホームページ４０中より取り込み該第１サーバー３に伝送するか、該第１サーバー３により該ホームページ４０中より取り込まれる。
【００４３】
第１実施例と類似し、本実施例はさらに、第２装置２或いは第２サーバー４を包含してもよい。
該第２装置２或いは該第２サーバー４はホームページ４０を包含し、該ホームページ４０は上述の少なくとも一つのホームページ情報４００を包含する。
該第１装置１は該第２装置２或いは該第２サーバー４に接続可能で、これにより該第２装置２或いは該第２サーバー４より該ホームページ４０を読み取る。
また、仮に該第１装置１或いは該第１サーバー３が該ホームページ４０を包含する場合、該第１装置１はまた該第１装置１或いは該第１サーバー３より該ホームページ４０を読み取ることができる。
すなわち該第１装置１のユーザーは、ローカル、広域ネットワーク或いはワールドワイドネットワーク上において、任意のホームページを閲覧できる。
また、図２Ａ中に示すように、該第１装置１は該第１サーバー３と該第２サーバー４にそれぞれ接続される方式以外に、先に該第１サーバー３に接続し、さらに該第１サーバー３を経由して該第２サーバー４に接続してもよい。
さらに本実施例中、該第１装置１は表示プログラム１０を包含し、該表示プログラム１０は特殊開発のブラウザとするか既存のブラウザに電子情報の受信と表示の機能を備えたブラウザプラグインを加えたものとする。
またはその他の方式を利用して実施されホームページを閲覧するユーザーに向けてホームページ表示と同時に電子情報を表示できる機能を達成するものとする。
また、該表示プログラム１０は、該ホームページ情報４００を取り込む機能を包含する。
【００４４】
本実施例の特色は該第１サーバー３が該ホームページ情報４００により、電子情報３０Ａ〜３０Ｃ中より該ホームページ情報４００に関連する該電子情報３０Ｂを選択、表示しユーザーの関心を引くことにある。
またさらに該第１装置１ユーザーの電子情報の閲覧とクリックの意欲を高め、電子情報表示の効果を強化することにある。
【００４５】
図２Ｂに示すように、本発明の電子情報の表示方法は少なくとも以下のステップを包含する。
【００４６】
ステップＳ２１：第１サーバーが一つのホームページの包含する少なくとも一つのホームページ情報により少なくとも一つの電子情報を選択して第１装置に伝送する。
【００４７】
ステップＳ２２：該電子情報と該ホームページを同時に該第１装置に表示する。
【００４８】
ステップＳ２１中、該第１装置１はそれぞれ該第１サーバー３と該第２サーバー４に接続される。
該第２サーバー４より該ホームページ４０を読み取り、該表示プログラム１０は該ホームページ情報４００を取り込み、該ホームページ情報４００を該第１サーバー３に伝送する。
また前述のように該第１装置１は該第１サーバー３に接続され、該第１サーバー３を経由して該第２サーバー４に接続される方式で、該第２サーバー４に接続されてもよい。
本ステップはまた、該第１サーバー３が直接該ホームページ４０より該ホームページ情報４００を取り込むことも出来る。
該第１サーバー３は該ホームページ情報４００により電子情報３０Ａ〜３０Ｃ中より該ホームページ情報４００に関連する該電子情報３０Ｂを選択する。
また該第１サーバー３は該ホームページ情報４００中に包含されるキーワード、イメージ、ビデオ或いはその他の内部挿入外部ファイルを利用し、キーワード検索、イメージ検索、ビデオ分析検索、ファイル特徴分析検索或いはホームページタイプの知能判断（キーワード或いはファイル関連性により実行され得る）等の方式で、該ホームページ情報４００と比較的関連する該電子情報３０Ｂを抽出し該第１装置１に伝送する。
ステップＳ２２で、該表示プログラム１０は該第２サーバー４より読み取った該ホームページ４０及び該第１サーバー３より受け取った該電子情報３０Ｂを該第１装置１に表示する。
こうして該第１装置１を使用して該ホームページ４０を閲覧するユーザーに向けて、その閲覧している該ホームページ４０に関連する該電子情報３０Ｂを表示する目的を達成する。
【００４９】
このほか、本実施例中のステップＳ２１の後、ステップＳ２２の前に操作情報を発生し、該操作情報により該電子情報の表示をトリガするステップを包含し得る。
これは第１実施例中のステップＳ１３０１と同じであるため、ここでは重複した説明は行わない。
このステップは、クリック或いはカーソルポイントをホームページ情報に移動する方式を包含する。本実施例はさらにユーザーが当面注目している該ホームページ情報を反映している。
該ホームページ情報を分析してユーザーが当面最も注目している主題と符合する該電子情報をサーチ並びに提供でき、さらに一歩進んでユーザーの該電子情報に対する許容度をアップする。
【００５０】
上述のエレメントの設置とステップの実施により、本発明は一般ユーザーに対してその閲覧中のホームページに関連する電子情報を提供し、且つ本表示方式はホームページレイアウトとホームページ管理人の制限を受けない。
このほか、本発明はまた、一般ユーザーに向けてその地域情報或いは時間情報に関連する電子情報を提供でき、それは第３実施例で述べるとおりである。
【００５１】
図３Ａと図３Ｂを併せて参照されたい。それは本発明の第３実施例のエレメント関係表示図とステップフローチャートである。
図３Ａに示すように、本発明の電子情報の表示方法は、少なくとも一つの第１装置１と第１サーバー３を包含し、該第１サーバー３は少なくとも一つの電子情報３０Ａ〜３０Ｃを包含する。
該第１装置１は該第１サーバー３に接続可能で、該第１サーバー３は、該第１装置１のＩＰアドレス１８により該第１装置１の地域情報１８０或いは時間情報１８２を取得し電子情報３０Ｃを該第１装置１に伝送して、
ある地域或いはある時間のユーザーに対して該電子情報３０Ｃを表示する目的を達成する。そのうち、該ＩＰアドレス１８は、該第１装置１より該第１サーバー３に伝送されるか、該第１サーバー３により取り込まれる。
【００５２】
第１実施例と類似し、本実施例はさらに、第２装置２或いは第２サーバー４を包含してもよい。
該第２装置２或いは該第２サーバー４はホームページ４０を包含し、該第１装置１は該第２装置２或いは該第２サーバー４に接続可能で、これにより該第２装置２或いは該第２サーバー４より該ホームページ４０を読み取る。
また仮に該第１装置１或いは該第１サーバー３が該ホームページ４０を包含する場合、該第１装置１はまた該第１装置１或いは該第１サーバー３より該ホームページ４０を読み取ることができる。
該第１装置１のユーザーは、ローカル、広域ネットワーク或いはワールドワイドネットワーク上において、任意のホームページを閲覧できる。
また、図３Ａ中に示される以外に、該第１装置１はそれぞれ該第１サーバー３と該第２サーバー４にそれぞれ接続する方式以外に、先に該第１サーバー３に接続できる。
さらに該第１サーバー３を経由して該第２サーバー４に接続してもよい。
本実施例中、該第１装置１は表示プログラム１０を包含し、該表示プログラム１０は特殊開発のブラウザとするか既存のブラウザに電子情報の受信と表示の機能を備えたブラウザプラグインを加えたものとする。
またはその他の方式を利用してホームページを閲覧するユーザーにホームページの表示と同時に電子情報を表示できる機能を達成するものとする。
また、該表示プログラム１０はさらに該ＩＰアドレス１８を取り込む機能を包含する。
【００５３】
本実施例の特色は、該第１サーバー３が該ＩＰアドレス１８により該第１装置１の地域情報或いは時間情報を取得し、電子情報３０Ａ〜３０Ｃ中より該電子情報３０Ｃを選択することにある。
さらに該第１装置１のユーザー所在の同一地域或いは同一時間のユーザーに該電子情報３０Ｃを表示し、特定グループの対象に対する電子情報表示の効果を達成することにある。
【００５４】
図３Ｂに示されるように、本発明の電子情報の表示方法は少なくとも以下のステップを包含する。
【００５５】
ステップＳ３１：第１サーバーが該第１装置のＩＰアドレスにより該第１装置の地域情報或いは時間情報を取得し、それにより少なくとも一つの電子情報を選択し該第１装置に伝送する。
【００５６】
ステップＳ３２：該電子情報と該第１装置が読み取ったホームページを同時に該第１装置に表示する。
【００５７】
ステップＳ３１中、該第１装置１は該第１サーバー３に接続され、該表示プログラム１０は該ＩＰアドレス１８を該第１サーバー３に伝送する。
該第１サーバー３は、該ＩＰアドレス１８により該第１装置１の地域情報１８０或いは時間情報１８２を取得し、該電子情報３０Ｃを選択して該第１装置１に伝送する。
該第１装置１は該表示プログラム１０により該電子情報３０Ｃを受け取る。
ステップＳ３２中、該第１装置１は該表示プログラム１０により該第２サーバー４より該ホームページ４０を読み取り、該表示プログラム１０は該電子情報３０Ｃと該ホームページ４０を同時に該第１装置１に表示する。
こうして該第１装置１を使用して該ホームページ４０を閲覧するユーザーに向けて、設定された該第１装置１の地域情報或いは時間情報のユーザーに対して該電子情報３０Ｃを表示する目的を達成する。
このほか本実施例中ステップＳ３１の後ステップＳ３２の前に、操作情報を発生して該電子情報の表示をトリガするステップを包含し得るが、第１実施例中のステップＳ１３０１からステップＳ１３０２と同じであるためここでは重複した説明は行わない。
【００５８】
上述の要素の設置とステップの実施により、本発明はある地域或いは時間に対する一般ユーザー向けの特定電子情報を提供でき、且つ本表示方式は、ホームページレイアウトとホームページ管理人の制限を受けない。
【００５９】
図４Ａと図４Ｂを併せて参照されたい。これは本発明の第４実施例の要素関係表示図とステップフローチャートである。
図４Ａに示すように、本発明の電子情報の表示方法は、少なくとも一つの第１装置１と第１サーバー３を包含し、該第１サーバー３は少なくとも一つの電子情報３０Ａ〜３０Ｃを包含する。
該第１装置１は該第１サーバー３に接続可能で、ランダムに一つの電子情報３０Ａを該第１装置１に伝送し、ユーザーに該電子情報３０Ａ〜３０Ｃのいずれかを表示する目的を達成する。
【００６０】
第１実施例と類似しているが、本実施例はさらに第２装置２或いは第２サーバー４を包含してもよい。
該第２装置２或いは該第２サーバー４はホームページ４０を包含し、該第１装置１は該第２装置２或いは該第２サーバー４に接続可能で、これにより該第２装置２或いは該第２サーバー４より該ホームページ４０を読み取る。
また仮に該第１装置１或いは該第１サーバー３が該ホームページ４０を包含する場合、該第１装置１はまた該第１装置１或いは該第１サーバー３より該ホームページ４０を読み取ることができる。
該第１装置１のユーザーは、ローカル、広域ネットワーク或いはワールドワイドネットワーク上において任意のホームページを閲覧できる。
また、図４Ａ中に示す以外に、該第１装置１はそれぞれ該第１サーバー３と該第２サーバー４にそれぞれ接続される。
該第１装置１はまた、先に該第１サーバー３に接続されさらに該第１サーバー３を経由して該第２サーバー４に接続してもよい。
本実施例中、該第１装置１には表示プログラム１０を包含し、該表示プログラム１０は特殊開発のブラウザとするか既存のブラウザに電子情報の受信と表示の機能を備えたブラウザプラグインを加えたものとする。
またはその他の方式を利用してホームページを閲覧するユーザーにホームページの表示と同時に電子情報を表示できる機能を達成できるものとする。
【００６１】
本実施例の特色は、該第１サーバー３がランダムに該電子情報３０Ａ〜３０Ｃから任意の一つを該第１装置１に伝送する。この方式ではユーザーの個人情報或いは行為情報を収集する必要がない。
また、ユーザーが閲覧するホームページを分析する必要もなく、電子情報が符合するユーザーの嗜好、閲覧ホームページテーマ或いは地域情報等に符合する例外的な状況で用いられる。
【００６２】
図４Ｂに示されるように、本発明の電子情報の表示方法は少なくとも以下のステップを包含する。
【００６３】
ステップＳ４１：第１サーバーが少なくとも一つの電子情報中よりランダムに少なくとも一つの電子情報を選択し該第１装置に伝送する。
【００６４】
ステップＳ４２：該電子情報と該第１装置が読み取ったホームページを同時に該第１装置に表示する。
【００６５】
ステップＳ４１中、該第１装置１は該第１サーバー３に接続し、ランダムに電子情報３０Ａ〜３０Ｃから該電子情報３０Ａを選択する。
さらに該電子情報３０Ａを該第１装置１に伝送し、該第１装置１は該表示プログラム１０により該電子情報３０Ａを受け取る。
ステップＳ４２中、該第１装置１は該表示プログラム１０により該第２サーバー４より該ホームページ４０を読み取り、該表示プログラム１０は該電子情報３０Ａと該ホームページ４０を同時に該第１装置１に表示する。
こうして該第１装置１を使用して該ホームページ４０を閲覧するユーザーに向けて、ランダムに電子情報３０Ａ〜３０Ｃから任意のものを表示する目的を達成する。
このほか本実施例中ステップＳ４１の後、ステップＳ４２の前に操作情報を発生して該電子情報の表示をトリガするステップを包含し得るが、第１実施例中のステップＳ１３０１からステップＳ１３０２と同じであるためここでは重複した説明は行わない。
【００６６】
以上を総合すると、本発明の電子情報の表示方法は、ホームページレイアウトとホームページ管理人の制限を受けることがない。
また自由で便利で、ユーザーの嗜好、ユーザーが閲覧するホームページ、ユーザーの地域情報或いは時間情報、またはランダム方式で電子情報を提供し、電子情報表示の効果を増大する。
さらに特定ユーザーに対して電子情報を表示すると共にさらに発布者の要求に符合させる。
【００６７】
以上述べたことは本発明実施の一例にすぎず、本発明の実施の範囲を限定するものではない。本発明の特許請求の範囲に基づいてなし得る同等の変化と修飾は、いずれも本発明の権利のカバーする範囲内に属するものとする。
【００６８】
本発明は新規性、進歩性、及び産業上の利用価値を有する発明であり、特許法に規定する特許の要件を満たしていることに疑いはなく、ここに特許出願を申請する。
【符号の説明】
【００６９】
１      第１装置
１０    表示プログラム
１２    識別情報
１４Ａ  行為情報
１４Ｂ  行為情報
１４Ｃ  行為情報
１４Ｄ  行為情報
１４Ｅ  行為情報
１４Ｆ  行為情報
１６    嗜好モデル
１８    ＩＰアドレス
１８０  地域情報
１８２  時間情報
２      第２装置
３      第１サーバー
３０Ａ  電子情報
３０Ｂ  電子情報
３０Ｃ  電子情報
４      第２サーバー
４０    ホームページ
４００  ホームページ情報
【図１Ａ】
2014139765.tif 000003
【図１Ｂ】
2014139765.tif 000004
【図２Ａ】
2014139765.tif 000005
【図２Ｂ】
2014139765.tif 000006
【図３Ａ】
2014139765.tif 000007
【図３Ｂ】
2014139765.tif 000008
【図４Ａ】
2014139765.tif 000009
【図４Ｂ】
2014139765.tif 000010